【手続補正書】
【提出日】平成18年4月13日(2006.4.13)
【手続補正１】
【補正対象書類名】明細書
【補正対象項目名】発明の名称
【補正方法】変更
【補正の内容】
【発明の名称】電気光学装置及びその駆動方法、並びに電子機器
【手続補正２】
【補正対象書類名】明細書
【補正対象項目名】特許請求の範囲
【補正方法】変更
【補正の内容】
【特許請求の範囲】
【請求項１】  発光素子を含む画素がマトリクス状に配列された画素マトリクスと、
前記画素マトリクスの行方向及び列方向のうち一方に沿って配列された画素群にそれぞれ接続する複数の走査線と、
前記画素マトリクスの行方向及び列方向のうち他方に沿って配列された画素群にそれぞれ接続する複数のデータ線と、
前記複数の走査線に接続し且つ前記画素マトリクスの１つの行及び列のいずれかを選択する走査線駆動回路と、
ディジタル信号に基づいて、前記発光素子の発光階調に応じた電流値を有する制御信号を生成し、生成した制御信号を前記複数のデータ線に出力するデータ線駆動回路と、
を備える電気光学装置であって、
前記ディジタル信号を構成する１組のディジタルデータのうち第１のディジタルデータに基づいて前記複数のデータ線を介して前記複数の画素回路に供給されるデータ信号が生成され、前記データ信号に応じて前記複数の画素回路の各々に含まれる発光素子が発光するために当該発光素子に供給される信号レベルが決定され、
前記ディジタルデータのうち第２のディジタルデータに基づいて、所定期間における当該発光素子の発光タイミングが制御されることを特徴とする電気光学装置。
【請求項２】  請求項１に記載の電気光学装置において、
前記第１のディジタルデータには、前記ディジタルデータのうち上位ビットのデータを割り当て、
前記第２のディジタルデータには、前記ディジタルデータのうち下位ビットのデータを割り当てたことを特徴とする電気光学装置。
【請求項３】  請求項１または２に記載の電気光学装置において、
前記発光素子の発光タイミングは、前記所定期間における前記発光素子の発光開始時期と発光期間であることを特徴とする電気光学装置。
【請求項４】  請求項１乃至３のいずれかに記載の電気光学装置において、
前記発光素子の発光タイミングは、前記走査線駆動回路により前記複数の走査線のうちのいずれかが選択されるごとに制御されることを特徴とする電気光学装置。
【請求項５】  請求項１乃至４のいずれかに記載の電気光学装置において、
前記発光期間は、前記所定期間に少なくとも１つ設けられることを特徴とする電気光学装置。
【請求項６】  請求項１乃至５のいずれかに記載の電気光学装置において、
前記データ線駆動回路は、電流加算型の電流生成回路を備えることを特徴とする電気光学装置。
【請求項７】  請求項１乃至６のいずれかに記載の電気光学装置において、
前記データ線駆動回路は、オフセット電流生成回路をさらに備えることを特徴とする電気光学装置。
【請求項８】  請求項１乃至７のいずれかに記載の電気光学装置において、
前記データ線駆動回路は、カレントミラー回路を含むゲート電圧生成回路をさらに備えることを特徴とする電気光学装置。
【請求項９】  請求項６乃至８のいずれかに記載の電気光学装置において、
電流加算型の電流生成回路に入力される基準電圧に基づいて、前記データ線に出力される前記電流値の出力範囲が決定されることを特徴とする電気光学装置。
【請求項１０】  請求項１乃至９のいずれかに記載の電気光学装置を実装してなることを特徴とする電子機器。
【請求項１１】  発光素子を含む画素がマトリクス状に配列された画素マトリクスと、
前記画素マトリクスの行方向及び列方向のうち一方に沿って配列された画素群にそれぞれ接続する複数の走査線と、
前記画素マトリクスの行方向及び列方向のうち他方に沿って配列された画素群にそれぞれ接続する複数のデータ線と、
前記複数の走査線に接続し且つ前記画素マトリクスの１つの行及び列のいずれかを選択する走査線駆動回路と、
ディジタル信号に基づいて、前記発光素子の発光階調に応じた電流値を有する制御信号を生成し、生成した制御信号を前記複数のデータ線に出力するデータ線駆動回路と、を備える電気光学装置の駆動方法であって、
前記ディジタル信号を構成する１組のディジタルデータのうち第１のディジタルデータに基づいて前記複数のデータ線を介して前記複数の画素回路に供給されるデータ信号が生成され、前記データ信号に応じて前記複数の画素回路の各々に含まれる発光素子が発光するために当該発光素子に供給される信号レベルが決定され、
前記ディジタルデータのうち第２のディジタルデータに基づいて、所定期間における当該発光素子の発光タイミングが制御されることを特徴とする電気光学装置の駆動方法。
【手続補正３】
【補正対象書類名】明細書
【補正対象項目名】０００６
【補正方法】変更
【補正の内容】
【０００６】
【課題を解決するための手段】
上述した課題を解決するため、本発明における電気光学装置は、発光素子を含む画素がマトリクス状に配列された画素マトリクスと、前記画素マトリクスの行方向及び列方向のうち一方に沿って配列された画素群にそれぞれ接続する複数の走査線と、前記画素マトリクスの行方向及び列方向のうち他方に沿って配列された画素群にそれぞれ接続する複数のデータ線と、前記複数の走査線に接続し且つ前記画素マトリクスの１つの行及び列のいずれかを選択する走査線駆動回路と、ディジタル信号に基づいて、前記発光素子の発光階調に応じた電流値を有する制御信号を生成し、生成した制御信号を前記複数のデータ線に出力するデータ線駆動回路と、を備える電気光学装置であって、前記ディジタル信号を構成する１組のディジタルデータのうち第１のディジタルデータに基づいて前記複数のデータ線を介して前記複数の画素回路に供給されるデータ信号が生成され、前記データ信号に応じて前記複数の画素回路の各々に含まれる発光素子が発光するために当該発光素子に供給される信号レベルが決定され、前記ディジタルデータのうち第２のディジタルデータに基づいて、所定期間における当該発光素子の発光タイミングが制御されることを特徴とする。
【手続補正４】
【補正対象書類名】明細書
【補正対象項目名】０００７
【補正方法】変更
【補正の内容】
【０００７】
このような構成であれば、ディジタルデータのうち第２のディジタルデータに基づいて、所定期間（例えば、１フレーム期間）における発光素子の発光開始時期と発光期間が制御される。これにより、例えば、インパルス駆動が可能となり、動画表示時の表示特性の向上や疑似輪郭等の視認性の劣化因子を低減することができる。
【手続補正５】
【補正対象書類名】明細書
【補正対象項目名】０００８
【補正方法】変更
【補正の内容】
【０００８】
上記の電気光学装置において、第１のディジタルデータには、ディジタルデータのうち上位ビットのデータを割り当て、第２のディジタルデータには、前記ディジタルデータのうち下位ビットのデータを割り当ててもよい。
【手続補正６】
【補正対象書類名】明細書
【補正対象項目名】０００９
【補正方法】変更
【補正の内容】
【０００９】
また、上記の電気光学装置において、発光素子の発光タイミングは、走査線駆動回路により複数の走査線のうちのいずれかが選択されるごとに制御されることが好ましい。
【手続補正７】
【補正対象書類名】明細書
【補正対象項目名】００１０
【補正方法】変更
【補正の内容】
【００１０】
さらに、上記の電気光学装置において、発光素子の発光期間は、所定期間に少なくとも１つ設けられることが好ましい。
【手続補正８】
【補正対象書類名】明細書
【補正対象項目名】００１１
【補正方法】変更
【補正の内容】
【００１１】
また、上記の電気光学装置において、データ線駆動回路は、電流加算型の電流生成回路を備えることが好ましい。オフセット電流生成回路やカレントミラー回路を含むゲート電圧生成回路を備えることはさらに好ましい。
【手続補正９】
【補正対象書類名】明細書
【補正対象項目名】００１２
【補正方法】変更
【補正の内容】
【００１２】
さらに、上記の電気光学装置において、電流加算型の電流生成回路に入力される基準電圧に基づいて、前記データ線に出力される前記電流値の出力範囲が決定されてもよい。  
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】